(57)【特許請求の範囲】
【請求項１】
マッサージ対象部に接触するローラーを備えたマッサージ具であって、
全体でＵ字状に形成された一対のアームと、
前記一対のアームを互いに揺動可能に支持する支持部と、
前記アームの先端部に設けられ前記ローラーを回転可能に支持すると共に前記ローラーの角度を調整する角度調整機構と、
前記角度調整機構で調整された前記ローラーの角度を固定する角度固定機構と、を備え、
前記一対のアームのそれぞれの前記ローラーの接触面が対向可能に、且つ前記ローラーの回転軸を前記アームの長手方向に向けることが可能に、前記ローラーの角度を調整可能であり、
前記アームの長さを調整可能なアーム長さ調整機構を備え、
前記アームは、前記支持部側から延びている基端側アームと、この基端側アームに進退可能に設けられた進退アームとを備え、
前記アーム長さ調整機構は、前記基端側アームに形成され前記進退アームを進退可能に収納するガイド部と、前記進退アームにＺ字状の凹部が連続するように対向して形成された２列のノコギリ溝と、対向する前記基端側アームの側部のそれぞれに貫通するように形成されたスイッチ用貫通孔と、前記スイッチ用貫通孔のそれぞれに移動可能に配置され移動することで２列の前記ノコギリ溝に係止される２つの係止スイッチと、２つの前記係止スイッチを付勢するスイッチ用付勢部材と、を備え、
２列の前記ノコギリ溝の傾斜面と係止面は、それぞれが互い違いの向きとなるように配置され、
一方の前記係止スイッチのみを解除すると、前記進退アームを後退側に移動可能とし、他方の前記係止スイッチのみを解除すると、前記進退アームを前進側に移動可能とすることを特徴とするマッサージ具。
【請求項２】
請求項１記載のマッサージ具であって、
前記角度調整機構は、前記アームの先端部に設けられた角度調整用軸と、前記角度調整用軸に回転可能に設けられた回転部材と、前記回転部材に設けられ前記ローラーを回転可能に支持するローラー支持部と、を備え、
前記角度固定機構は、円形状に形成された前記回転部材の外周部に所定の間隔で設けられた切欠き部と、前記アームにスライド可能に設けられ前進されることで前記切欠き部に進入するスライド部材と、を備えていることを特徴とするマッサージ具。
【請求項３】
請求項１記載のマッサージ具であって、
前記角度調整機構は、前記アームの先端部に設けられたボルトと、前記ボルトに回転可能に設けられた回転部材と、前記回転部材に設けられ前記ローラーを回転可能に支持するローラー支持部と、を備え、
前記角度固定機構は、前記アームの先端部に固定され円板状に形成されたアーム側円板部材と、前記アーム側円板部材の一面に放射状に凹凸が延びるように形成されたアーム側凹凸部と、前記アーム側円板部材に対向するように配置され円板状に形成された前記回転部材と、前記回転部材の一面に放射状に凹凸が延びるように形成されると共に前記アーム側凹凸部と噛み合う回転部材側凹凸部と、前記アーム側円板部材及び前記回転部材の中心に挿通された前記ボルトに締付可能なナットと、を備えていることを特徴とするマッサージ具。
【請求項４】
請求項１から請求項３のいずれか１項記載のマッサージ具であって、
前記一対のアームを閉じ方向に付勢する弾性部材を備えていることを特徴とするマッサージ具。
【請求項５】
請求項４記載のマッサージ具であって、
前記弾性部材によって付勢する強さを調整可能な付勢強さ調整機構を備えていることを特徴とするマッサージ具。
【請求項６】
請求項５項記載のマッサージ具であって、
前記弾性部材は、引張ばねであり、
前記付勢強さ調整機構は、前記一対のアームの一方に一端が接続された前記引張ばねと、前記引張ばねの他端に接続され移動可能に設けられた係止部材と、前記一対のアームの他方にこのアームの長手方向に所定の間隔を開けて形成され前記係止部材を係止する複数の係止凹部と、を備えていることを特徴とするマッサージ具。
【請求項７】
請求項１から請求項６のいずれか１項記載のマッサージ具あって、
前記ローラーの接触面は、断面視で鋭角に形成されていることを特徴とするマッサージ具。
【発明の詳細な説明】
【技術分野】
【０００１】
本発明は、アームに回転可能にローラーが設けられたにマッサージ具に関する。
【背景技術】
【０００２】
従来、人の腕や脚をマッサージする際、アームに回転可能に設けられたローラーを、腕や脚のマッサージ対象部に押し付けながらマッサージすることがある。このようなローラー付きマッサージ具が知られている。
【０００３】
特許文献１のマッサージ具は、Ｕ字状のはさみ（以下、アームという）の中央部に、アームの先端側が閉じるように働くバネを設け、アームの両端には、アームが閉じた状態において先端側が互いに離れる方向に曲げた湾曲した取手を設け、Ｕ字状のアームの側面には、外周部に凹凸が形成されたローラーを設けたマッサージ具である。
【０００４】
マッサージ具の中央部や取手を持ち、脚などのマッサージ対象部にローラーを接触させて移動させることで、筋肉が押しほぐされてマッサージされる。
【０００５】
ところで近年、マッサージにおいて筋肉に対して点で押しほぐすことや、筋肉を伸ばすストレッチだけでなく、筋膜にアプローチする筋膜リリースが注目されている。筋膜リリースは、体の外部から皮下組織の筋膜の境目の位置を見極めて、筋膜の境目の位置から筋膜リリースの作業を行う必要があることから、理学療法士、作業療法士などのマッサージに従事する者により、筋膜リリースが行われることもある。
【０００６】
しかし、特許文献１のマッサージ具は、アームの長手方向に沿ってローラーが回転するように配置されているため、例えば脚の筋膜リリースを行う際、アームの長手方向を脚の伸び方向に沿って斜めに倒して使用する必要があり、ローラーを筋膜の境目に当て難い。仮に、ローラーを筋膜の境目に当てたとしても、マッサージ具を移動させると筋膜の境目に沿ってローラーを回転させることができず、筋膜リリースの作業がやり難い。
【０００７】
この点、ローラーの角度を変えることができる美容マッサージ器が開示されている。特許文献２の美容マッサージ器は、二本のハンドル（以下、アームという）の先端部にローラーが取り付けられており、ローラーの取付け角度を変えるための角度変位手段が設けられている。この角度変位手段は、ローラー側に支持されるローラーホイールと、アーム側に支持されるシャフト受けと、このシャフト受けとローラーホイールとを角度調整自在に連結するシャフトとを備えており、一定の角度でローラーを保持できるように、シャフトに設けたロック用突起が、シャフト受けに設けたロック孔に嵌合するいわゆるクリック機構のような構成のロック機構（特許文献２の図中に図示されず）が付設されている。
【０００８】
しかし、特許文献２の美容マッサージ器は、腕や脚など大きな筋肉のある筋膜リリース用ではなく、主に顔などの肌の活性化や血行を促進することが目的であるため、ロック用突起の嵌合力に抗してシャフトに力が加わると、ロック孔からロック用突起が抜け出してローラーの角度が回動して変わってしまう。このため、腕や脚など大きな筋肉のある筋膜リリースの際に加わる大きな力では、ローラーの角度が維持できない。
【先行技術文献】
【特許文献】
【０００９】
【特許文献１】特開２００２−１９１７３号公報
【特許文献２】登録実用新案第３１２３６９３号公報
【発明の概要】
【発明が解決しようとする課題】
【００１０】
本発明は、以上の点に鑑み、腕や脚など大きな筋肉のある筋膜リリースの際に加わる大きな力に対してもローラーの角度を固定することができ、作業効率を向上させることができるマッサージ具を提供することを課題とする。
【課題を解決するための手段】
【００１１】
［１］マッサージ対象部に接触するローラーを備えたマッサージ具であって、
全体でＵ字状に形成された一対のアームと、
前記一対のアームを互いに揺動可能に支持する支持部と、
前記アームの先端部に設けられ前記ローラーを回転可能に支持すると共に前記ローラーの角度を調整する角度調整機構と、
前記角度調整機構で調整された前記ローラーの角度を固定する角度固定機構と、を備え、
前記一対のアームのそれぞれの前記ローラーの接触面が対向可能に、且つ前記ローラーの回転軸を前記アームの長手方向に向けることが可能に、前記ローラーの角度を調整可能であることを特徴とする。
【００１２】
かかる構成によれば、マッサージ具は、ローラーの角度を調整する角度調整機構を備え、一対のアームのそれぞれのローラーの接触面が対向可能に、且つローラーの回転軸をアームの長手方向に向けることが可能に、ローラーの角度を調整可能であるので、腕や脚などの長手方向に筋肉が伸びるマッサージ対象部に対して、筋膜に沿ってローラーが食い込んで回転するようにローラーの角度を調整でき、筋膜リリースの作業効率を向上させることができる。さらに、マッサージ具は、角度調整機構で調整されたローラーの角度を固定する角度固定機構を備えているので、腕や脚など大きな筋肉のある筋膜リリースの際に加わる大きな力に対してもローラーの角度を固定することができ、作業効率を向上させることができる。
【００１３】
［２］好ましくは、前記角度調整機構は、前記アームの先端部に設けられた角度調整用軸と、前記角度調整用軸に回転可能に設けられた回転部材と、前記回転部材に設けられ前記ローラーを回転可能に支持するローラー支持部と、を備え、
前記角度固定機構は、円形状に形成された前記回転部材の外周部に所定の間隔で設けられた切欠き部と、前記アームにスライド可能に設けられ前進されることで前記切欠き部に進入するスライド部材と、を備えている。
【００１４】
かかる構成によれば、角度固定機構は、円形状に形成された回転部材の外周部に所定の間隔で設けられた切欠き部と、アームにスライド可能に設けられ前進されることで切欠き部に進入するスライド部材と、を備えている。このため、従来技術のようなクリック機構とは異なり、本発明の実施例ではスライド部材を回転部材の切欠き部に前進させることで、回転部材に大きな力が加わっても回転部材が回転することなく、簡単な機構で腕や脚など大きな筋肉のある筋膜リリースの際に加わる大きな力に対してもローラーの角度を固定することができ、作業効率を向上させることができる。
【００１５】
［３］好ましくは、前記角度調整機構は、前記アームの先端部に設けられたボルトと、前記ボルトに回転可能に設けられた回転部材と、前記回転部材に設けられ前記ローラーを回転可能に支持するローラー支持部と、を備え、
前記角度固定機構は、前記アームの先端部に固定され円板状に形成されたアーム側円板部材と、前記アーム側円板部材の一面に放射状に凹凸が延びるように形成されたアーム側凹凸部と、前記アーム側円板部材に対向するように配置され円板状に形成された前記回転部材と、前記回転部材の一面に放射状に凹凸が延びるように形成されると共に前記アーム側凹凸部と噛み合う回転部材側凹凸部と、前記アーム側円板部材及び前記回転部材の中心に挿通された前記ボルトに締付可能なナットと、を備えている。
【００１６】
かかる構成によれば、角度固定機構は、アーム側円板部材と、アーム側円板部材の一面に放射状に凹凸が延びるように形成されたアーム側凹凸部と、回転部材と、回転部材の一面に放射状に凹凸が延びるように形成されると共にアーム側凹凸部と噛み合う回転部材側凹凸部と、を備えている。ボルトにナットを締め付けることで、アーム側円板部材と回転部材が挟み込まれてアーム側凹凸部と回転部材側凹凸部とが噛み合った状態となるので、回転部材に大きな力が加わっても回転部材が回転することなく、簡単な機構で腕や脚など大きな筋肉のある筋膜リリースの際に加わる大きな力に対してもローラーの角度を固定することができ、作業効率を向上させることができる。
【００１７】
［４］好ましくは、前記一対のアームを閉じ方向に付勢する弾性部材を備えている。
【００１８】
かかる構成によれば、弾性部材により一対のアームが閉じ方向に付勢されるので、片手でアームを持つだけで、ローラーで腕や脚のマッサージ対象部を挟んで押し付けることができ、筋膜リリースの作業効率を向上させることができる。
【００１９】
［５］好ましくは、前記弾性部材によって付勢する強さを調整可能な付勢強さ調整機構を備えている。
【００２０】
かかる構成によれば、弾性部材によって付勢する強さを調整可能な付勢強さ調整機構を備えているので、腕や脚などのマッサージ対象部によって、適切な付勢強さに調整することができ、筋膜リリースの作業効率を向上させることができる。
【００２１】
［６］好ましくは、前記弾性部材は、引張ばねであり、
前記付勢強さ調整機構は、前記一対のアームの一方に一端が接続された前記引張ばねと、前記引張ばねの他端に接続され移動可能に設けられた係止部材と、前記一対のアームの他方にこのアームの長手方向に所定の間隔を開けて形成され前記係止部材を係止する複数の係止凹部と、を備えている。
【００２２】
かかる構成によれば、一対のアームの一方に一端が接続された引張ばねに係止部材を設け、一対のアームの他方にこのアームの長手方向に所定の間隔を開けて複数の係止凹部を形成しただなので、付勢強さ調整機構を簡単な構成とすることができる。さらに、係止部材を異なる位置の係止凹部に係止するだけで、適切な付勢強さを調整することができ、筋膜リリースの作業効率を向上させることができる。
ことができる。
【００２３】
［１］好ましくは、前記アームの長さを調整可能なアーム長さ調整機構を備えている。
【００２４】
かかる構成によれば、かかる構成によれば、アームの長さを調整可能なアーム長さ調整機構を備えているので、腕や脚などのマッサージ対象部によって、適切なアーム長さに調整することができ、筋膜リリースの作業効率を向上させることができる。
【００２５】
［１］好ましくは、前記アームは、前記支持部側から延びている基端側アームと、この基端側アームに進退可能に設けられた進退アームとを備え、
前記アーム長さ調整機構は、前記基端側アームに形成され前記進退アームを進退可能に収納するガイド部と、前記進退アームにＺ字状の凹部が連続するように形成されたノコギリ溝と、前記基端側アームの側部に貫通するように形成されたスイッチ用貫通孔と、前記スイッチ用貫通孔に移動可能に配置され移動することで前記ノコギリ溝に係止される係止スイッチと、前記係止スイッチを解除側に付勢するスイッチ用付勢部材と、を備えている。
【００２６】
かかる構成によれば、アーム長さ調整機構は、基端側アームに形成されたガイド部と、進退アームに形成されたノコギリ溝と、基端側アームのスイッチ用貫通孔に移動可能に配置された係止スイッチと、係止スイッチを解除側に付勢するスイッチ用付勢部材と、備えているので、アーム長さ調整機構を簡単な構成とすることができる。さらに、一方の手でアームを持ちつつ、他方の手で係止スイッチを解除してアームを適切な長さに調整することができ、筋膜リリースの作業効率を向上させることができる。
【００２７】
［７］好ましくは、ローラーの接触面は、断面視で鋭角に形成されている。
【００２８】
かかる構成によれば、筋肉と筋肉の間に、外部からローラーを食い込ませ易くでき、適切に筋膜を持ち上げて筋膜リリースの作業性を向上させることができる。
【発明の効果】
【００２９】
腕や脚など大きな筋肉のある筋膜リリースの際に加わる大きな力に対してもローラーの角度を固定することができ、作業効率を向上させることができるマッサージ具を提供することができる。
【図面の簡単な説明】
【００３０】
【図１】本発明の実施例に係るマッサージ具の正面図である。
【図２】図１のマッサージ具の左側面図である。
【図３】本発明の実施例に係るアーム長さ調整機構の説明図である。
【図４】別態様の実施例に係る角度調整機構及び角度固定機構の分解斜視図である。
【図５】脚の筋膜リリース作業の作用図である。
【図６】比較例に係るマッサージ具の作用図と、実施例に係るマッサージ具の作用図である。
【発明を実施するための形態】
【００３１】
本発明の実施の形態を添付図に基づいて以下に説明する。なお、作用図は、マッサージ具を概念的（模式的）に示すものとする。
【実施例】
【００３２】
図１に示されるように、マッサージ具１０は、例えば脚などのマッサージ対象部７０（図５参照）にローラー１１を接触させて筋繊維７１（図６参照）を覆う筋膜７２をリリースするのに好適な道具である。
【００３３】
マッサージ具１０は、全体でＵ字状に形成された一対のアーム２０Ｌ、２０Ｒ（Ｌは左、Ｒは右の部材を示す）と、一対のアーム２０Ｌ、２０Ｒを互いに揺動可能に支持する支持部２１と、アーム２０Ｌ、２０Ｒの先端部に設けられローラー１１を回転可能に支持すると共にローラー１１の角度を調整する角度調整機構３０と、角度調整機構３０で調整されたローラー１１の角度を固定する角度固定機構４０と、を備えている。
【００３４】
また、マッサージ具１０は、一対のアーム２０Ｌ、２０Ｒを閉じ方向に付勢する弾性部材５１と、この弾性部材５１によって付勢する強さを調整可能な付勢強さ調整機構５０と、アーム２０Ｌ、２０Ｒの長さを調整可能なアーム長さ調整機構６０と、を備えている。
【００３５】
次に角度調整機構３０について説明する。
図１、図２に示されるように、角度調整機構３０は、アーム２０Ｌ、２０Ｒの先端部に設けられた角度調整用軸３１と、この角度調整用軸３１に回転可能に設けられた円形状の回転部材３２と、この回転部材３２に設けられローラー１１を回転可能に支持するローラー支持部３４と、を備えている。詳細には、ローラー支持部３４は本体部分がＵ字状を呈し、このＵ字状の本体部分に回転軸３５が設けられ、この回転軸３５にローラー１１が回転可能に支持されている。
【００３６】
また、角度調整機構３０は、ローラー１１を任意の角度に調整した際、その任意の角度でローラー１１を仮留めできるように、アーム２０Ｌ、２０Ｒの先端部であって回転部材３２と重なる部分（回転部材３２の裏面と対応する面）に、弾性を有する爪状の突起（不図示）又は付勢部材によって回転部材３２の裏側に付勢される突起（不図示）を設け、回転部材３２の裏側に所定の間隔で環状に配置した複数の凹部（不図示）のいずれかに突起が係止されるいわゆるクリック機構の構成を備えてもよい。ローラー１１の角度の固定とは異なり、この仮留めの係止が外れる程度の外力が回転部材３２加わった場合は、回転部材３２が回転してローラー１１の角度が変更される。
【００３７】
このように、角度調整機構３０によって、一対のアーム２０Ｌ、２０Ｒのそれぞれのローラー１１、１１の接触面１２、１２が対向可能に、且つローラー１１、１１の回転軸３５、３５をアーム２０Ｌ、２０Ｒの長手方向に向けることが可能に、ローラー１１、１１の角度を調整可能である。
【００３８】
次に角度固定機構４０について説明する。
角度固定機構４０は、円形状に形成された回転部材３２の外周部に所定の間隔で設けられた複数の切欠き部３３と、アーム２０Ｌ、２０Ｒにスライド可能に設けられ前進されることで切欠き部３３に進入するスライド部材４１と、を備えている。
【００３９】
スライド部材４１が回転部材３２のいずれかの切欠き部３３に前進されることで、回転部材３２の回転方向には移動できないスライド部材４１によって、回転部材３２の回転が制限される。従来技術や前述した仮留めとは異なり、本発明の実施例では、腕や脚など大きな筋肉のある筋膜リリースの際に必要となる大きな力がローラー１１を介して回転部材３２に加わっても、角度固定機構４０により回転部材３２の回転が完全に制限される。このため、筋膜７２（図５、図６（ｅ）参照）にローラー１１を食い込ませて持ち上げ、筋膜リリースの作業効率を向上させることができる。
【００４０】
次に付勢強さ調整機構５０について説明する。
弾性部材５１は、引張ばね（以下、引張ばね５１という）である。付勢強さ調整機構５０は、一対のアーム２０Ｌ、２０Ｒの一方（アーム２０Ｒ）に一端が接続された引張ばね５１と、引張ばね５１の他端に接続され移動可能に設けられた係止部材５２と、一対のアーム２０Ｌ、２０Ｒの他方（アーム２０Ｌ）にこのアーム２０Ｌの長手方向に所定の間隔を開けて形成され係止部材５２を係止する複数の係止凹部５５と、を備えている。
【００４１】
係止部材５２は、係止凹部５５の幅（アーム２０Ｌの厚み）よりも長い係止ピン５３と、手で摘まんで持ち上げる摘み部５４と、を備えている。係止部材５２を支持部２１に近い係止凹部５５に係止することで、付勢強さが弱くなる。係止部材５２を支持部２１から遠い係止凹部５５に係止することで、付勢強さが強くなる。実施例の付勢強さ調整機構５０は、てこの原理を利用したもので、引張ばね５１を変更することなく、付勢強さを変更することができる。さらに、摘み部５４があることにより、手で容易に係止部材５２を移動させ、付勢強さを容易に変更することができる。
【００４２】
なお、実施例では付勢強さ調整機構５０の弾性部材５１を引張ばねとしたが、これに限定されず、弾性部材５１をトーションばねとして、このトーションばねを異なる付勢力のものに変えることで付勢強さを調整するものとしてもよい。
【００４３】
次にアーム２０Ｌ、２０Ｒについて説明する。
アーム２０Ｌは、支持部２１の反対側に延びるハンドル２２Ｌが一体的に設けられている。アーム２０Ｒは、支持部２１の反対側に延びるハンドル２２Ｒが一体的に設けられている。全体でＵ字状のアーム２０Ｌ、２０Ｒは、支持部２１で一つになるように支持されてから、交差することなくハンドル２２Ｌ、２２Ｒが互いに離れる方向に湾曲しつつ延びている。アーム２２Ｌ、２２Ｒは、断面視で矩形状に形成されている。
【００４４】
このため、手でハンドル２２Ｌ、２２Ｒを持ち、ハンドル２２Ｌ、２２Ｒを近づけるように力を加えて握ると、弾性部材５１の付勢力に抗してアーム２０Ｌ、２０Ｒの先端部側が開く。これにより、一対のローラー１１がマッサージ対象部７０（図５参照）を挟む力を緩めて調整することができる。また、アーム２０Ｌ、２０Ｒの支持部２１より先端側を手で持ちつつ力を加えて握ることで、弾性部材５１の付勢力に加えてアーム２０Ｌ、２０Ｒが閉じる方向に付勢される。
【００４５】
なお、実施例では、支持部２１から交差することなくハンドル２２Ｌ、２２Ｒが互いに離れる方向に延びているが、反対に、支持部２１で交差してからハンドル２２Ｌ、２２Ｒが互いに離れる方向に延びていてもよい。この場合、手でハンドル２２Ｌ、２２Ｒを持ち、ハンドル２２Ｌ、２２Ｒを近づけるように力を加えて握ると、弾性部材５１の付勢力に加えてアーム２０Ｌ、２０Ｒが閉じる方向に付勢される、マッサージ具１０全体を移動させつつ、且つ不勢力を容易に調整することができる。
【００４６】
次にアーム長さ調整機構６０について説明する。なお、左のアーム２０Ｌのアーム長さ調整機構６０と、右のアーム２０Ｒのアーム長さ調整機構６０は構成が同様のため、左のアーム２０Ｌのアーム長さ調整機構６０についてのみ説明し、右のアーム２０Ｒのアーム長さ調整機構の説明は省略する。
【００４７】
図１〜図３に示されるように、アーム２０Ｌは、支持部２１側から延びている基端側アーム２２と、この基端側アーム２３に進退可能に設けられた進退アーム２４とを備えている。基端側アーム２３に進退アーム２４が進退する部分において、基端側アーム２３と進退アーム２４の曲率を等しくすることで、全体として湾曲したアーム２０Ｌとなる。なお、実施例では、アーム２０Ｌを部分的に所定の曲率で湾曲させたが、これに限定されず、異なる曲率でもよく、さらには、湾曲のない直線的なアーム２０Ｌとしてもよい。
【００４８】
アーム長さ調整機構６０は、基端側アーム２３に形成され進退アーム２４を進退可能に収納するガイド部６１と、進退アーム２４にＺ字状の凹部が連続するように稲妻形に形成されたノコギリ溝６２と、基端側アーム２３の側部に貫通するように形成されたスイッチ用貫通孔６３と、スイッチ用貫通孔６３に移動可能に配置され移動することでノコギリ溝６２に係止される係止スイッチ６４と、係止スイッチ６４を解除側に付勢するスイッチ用付勢部材６５と、を備えている。
【００４９】
図３の（Ａ）は図２の３Ａ−３Ａ線断面図であり、ノコギリ溝６２に係止スイッチ６４の爪６４ａが入るように配置され、図左右の係止スイッチ６４、６４の間にスイッチ用付勢部材６５が配置され、蓋部材２５で覆われている。図３の（Ｂ）は、図３の（Ａ）のＢ−Ｂ線断面図であり、ノコギリ溝６２の傾斜面６２ａと係止面６２ｂは、図左側と図右側とで互い違いに向きとなるように配置されている。このため、一方（図右側）の係止スイッチ６４のみを解除すると、進退アーム２４を後退側（アーム２０Ｌを縮める）に移動させることができる。逆に、他方（図左側）の係止スイッチ６４のみを解除すると、進退アーム２４を前進側（アーム２０Ｌを伸ばす）に移動させることができる。
【００５０】
図３の（Ｃ）は図３の（Ａ）のＣ−Ｃ線断面図であり、係止スイッチ６４がスイッチ用貫通孔６３に移動可能に配置されている。係止スイッチ６４は、進退アーム２４の進退方向への移動は制限されている。
【００５１】
図３の（Ｄ）は、進退アーム２４のノコギリ溝６２が配置された部分の斜視図である。ノコギリ溝６２の傾斜面６２ａと係止面６２ｂは、複数連続するように形成されている。図３の（Ｅ）は、スイッチ用係止部材６４、６４であり、その先端部には爪６４ａ、６４ａが形成されている。
【００５２】
次に別態様に係る角度調整機構３０及び角度固定機構４０について説明する。
図４に示されるように、別態様の角度調整機構３０は、アーム２０Ｌの先端部に設けられたボルト３６と、このボルト３６に回転可能に設けられた回転部材３２と、この回転部材３２に設けられローラー１１を回転可能に支持するローラー支持部３４と、を備えている。なお、アーム２０Ｌを断面視で円形状に形成してもよい。
【００５３】
別態様の角度固定機構４０は、アーム２０Ｌの先端部に固定され円板状に形成されたアーム側円板部材４２と、このアーム側円板部材４２の一面に放射状に凹凸が延びるように形成されたアーム側凹凸部４３と、アーム側円板部材４２に対向するように配置され円板状に形成された回転部材３２と、この回転部材の一面に放射状に凹凸が延びるように形成されると共にアーム側凹凸部４３と噛み合う回転部材側凹凸部３７と、アーム側円板部材４２及び回転部材３２の中心に挿通されたボルト３６に締付可能なナット４４と、を備えている。なお、ナット４４を蝶ナットとしてもよい。ナット４４を蝶ナットとすることで、手で容易に締付と緩めを行うことができる。
【００５４】
ボルト３６からナット４４を緩めてローラー１１の角度に合わせて回転部材３２を回転させ、ボルト３６にナット４４を締め付ける。すると、アーム側円板部材４２と回転部材３２が挟み込まれてアーム側凹凸部４３と回転部材側凹凸部３７とが噛み合った状態となるので、回転部材３２に大きな力が加わっても回転部材３２の回転が制限される。
【００５５】
次にローラー１１の形状について説明する。
図１、図２、図６の（ｆ）に示されるように、ローラー１１の接触面１２は、断面視で鋭角に形成されている。また、図４に示されるように、ローラー１１の接触面１２に凹凸（複数の凸部）を形成してもよい。なお、実施例では、ローラー１１の接触面１２は、断面視で鋭角に形成したが、これに限定されず、図６（ｃ）に示されるように、ローラー１１の接触面１２を、断面視で円弧状に形成してもよい。また、アーム２０Ｌ、２０Ｒの断面形状は、図４に示すように断面視で円形状、さらには、断面視で楕円状、六角形状などとしてもよく、断面視での形状は問わない。
【００５６】
次に以上に述べたマッサージ具１０の作用について説明する。
図５に示されるように、マッサージを行う者は、マッサージ具１０を例えば脚のマッサージ対象部７０に配置し、一方の手８０Ｒでマッサージ具１０のハンドル２２Ｌ、２２Ｒを持ち、他方の手８０Ｌで角度調整機構４０によりローラー１１の角度を調整する。マッサージを行う者は、マッサージ具１０を、矢印（１）のようにマッサージ対象部７０に沿って移動させつつ、矢印（２）のように持ち上げなどして筋膜７２をリリースする。
【００５７】
次に比較例のマッサージ具１００の作用と実施例のマッサージ具１０の作用について説明する。
図６の（ａ）は比較例のマッサージ具１００であり、一対のアーム１０１の先端部にローラー１０２に回転可能に設けられている。ローラー１０２は角度を調整することができず、一対のローラー１０２の接触面１０３が対向しているものの、ローラー１０２の軸１０４がアーム１０１の長手方向に対して略垂直に配置されている。
【００５８】
図６の（ｂ）に示されるように、脚のマッサージ対象部７０の断面では、複数の筋繊維７１が図手前から奥方向に延びており、これらの別々の筋繊維７１を筋膜７２が覆っている。比較例のマッサージ具１００はローラー１０２を矢印（３）のように筋膜の延び方向に対して垂直な方向（図上下方向）にしか動かし難いため、筋膜リリースの作業が上手くできない。
【００５９】
図６の（ｃ）は便宜上、比較例としたローラー１１であり、断面視で接触面１２が円弧状である。このため、ローラー１１を矢印（４）のように筋膜７２に押し付けても、異なる筋繊維７１を覆う筋膜７２の間に、ローラー１１の接触面１２を食い込ませることが難しい。なお、図６の（ｃ）に示された断面視で接触面１２が円弧状のローラー１１を本実施例で使用しても差し支えない。
【００６０】
図６の（ｄ）は実施例のマッサージ具１０であり、一対のアーム２０Ｌ、２０Ｒの先端部に角度調整機構３０及び角度固定機構４０を介してローラー１１に回転可能に設けられている。
【００６１】
図６の（ｅ）に示されるように、実施例のマッサージ具１０のローラー１１を矢印（５）のように筋膜７２と筋膜７２の間に食い込ませる。マッサージ具１０を引き上げると、角度調整機構３０及び角度固定機構４０によりローラー１１の角度が固定された状態で、ローラー１１を矢印（６）のように移動させて筋膜７２をリリースすることができる。
【００６２】
図６の（ｆ）に示されるように、実施例のローラー１１では、断面視で鋭角に形成された接触面１２を、矢印（７）のように筋膜７２と筋膜７２の間に容易に食い込ませることができる。
【００６３】
次に以上に述べたマッサージ具１０の作用、効果を説明する。
【００６４】
本発明の実施例では、マッサージ具１０は、ローラー１１の角度を調整する角度調整機構３０を備え、一対のアーム２０Ｌ、２０Ｒのそれぞれのローラー１１の接触面１２が対向可能に、且つローラー１１の回転軸３５をアーム２０Ｌ、２０Ｒの長手方向に向けることが可能に、ローラー１１の角度を調整可能であるので、腕や脚などの長手方向に筋肉が伸びるマッサージ対象部７０に対して、筋膜７２に沿ってローラー１１が食い込んで回転するようにローラー１１の角度を調整でき、筋膜リリースの作業効率を向上させることができる。さらに、マッサージ具１０は、角度調整機構３０で調整されたローラー１１の角度を固定する角度固定機構４０を備えているので、腕や脚など大きな筋肉のある筋膜リリースの際に加わる大きな力に対してもローラー１１の角度を固定することができ、作業効率を向上させることができる。
【００６５】
さらに、本発明の実施例では、角度固定機構４０は、円形状に形成された回転部材３２の外周部に所定の間隔で設けられた切欠き部３３と、アーム１１にスライド可能に設けられ前進されることで切欠き部３３に進入するスライド部材４１と、を備えている。このため、従来技術のようなクリック機構とは異なり、本発明の実施例ではスライド部材４１を回転部材３２の切欠き部３３に前進させることで、回転部材３２に大きな力が加わっても回転部材３２が回転することなく、簡単な機構で腕や脚など大きな筋肉のある筋膜リリースの際に加わる大きな力に対してもローラー１１の角度を固定することができ、作業効率を向上させることができる。
【００６６】
さらに、本発明の実施例では、角度固定機構４０は、アーム側円板部材４２と、アーム側円板部材４２の一面に放射状に凹凸が延びるように形成されたアーム側凹凸部４３と、回転部材３２と、回転部材３２の一面に放射状に凹凸が延びるように形成されると共にアーム側凹凸部４３と噛み合う回転部材側凹凸部３７と、を備えている。ボルト３６にナット４４を締め付けることで、アーム側円板部材４２と回転部材３２が挟み込まれてアーム側凹凸部４３と回転部材側凹凸部３７とが噛み合った状態となるので、回転部材３２に大きな力が加わっても回転部材３２が回転することなく、簡単な機構で腕や脚など大きな筋肉のある筋膜リリースの際に加わる大きな力に対してもローラー１１の角度を固定することができ、作業効率を向上させることができる。
【００６７】
さらに、実施例では、弾性部材５１により一対のアーム２０Ｌ、２０Ｒが閉じ方向に付勢されるので、片手８０Ｒでアーム２０Ｌ、２０Ｒ（ハンドル２２Ｌ、２２Ｒ）を持つだけで、ローラー１１で腕や脚のマッサージ対象部を挟んで押し付けることができ、筋膜リリースの作業効率を向上させることができる。
【００６８】
さらに、弾性部材５１によって付勢する強さを調整可能な付勢強さ調整機構５０を備えているので、腕や脚などのマッサージ対象部７０によって、適切な付勢強さに調整することができ、筋膜リリースの作業効率を向上させることができる。
【００６９】
さらに、一対のアーム２０Ｌ、２０Ｒの一方に一端が接続された引張ばね５１に係止部材５２を設け、一対のアーム２０Ｌ、２０Ｒの他方にこのアーム２０Ｌの長手方向に所定の間隔を開けて複数の係止凹部５５を形成しただなので、付勢強さ調整機構５０を簡単な構成とすることができる。さらに、係止部材５２を異なる位置の係止凹部５５に係止するだけで、適切な付勢強さを調整することができ、筋膜リリースの作業効率を向上させることができる。
【００７０】
さらに、アーム２０Ｌ、２０Ｒの長さを調整可能なアーム長さ調整機構６０を備えているので、腕や脚などのマッサージ対象部７０によって、適切なアーム長さに調整することができ、筋膜リリースの作業効率を向上させることができる。
【００７１】
さらに、アーム長さ調整機構６０は、基端側アーム２３に形成されたガイド部６１と、進退アーム２４に形成されたノコギリ溝６２と、基端側アーム２３のスイッチ用貫通孔６３に移動可能に配置された係止スイッチ６４と、係止スイッチ６４を解除側に付勢するスイッチ用付勢部材６５と、備えているので、アーム長さ調整機構６０を簡単な構成とすることができる。さらに、一方の手８０Ｒでアーム２０Ｌ、２０Ｒを持ちつつ、他方の手８０Ｌで係止スイッチ６４を解除してアーム２０Ｌ、２０Ｒを適切な長さに調整することができ、筋膜リリースの作業効率を向上させることができる。
【００７２】
さらに、ローラー１１の接触面１２は、断面視で鋭角に形成されているので、筋肉と筋肉の間に、外部からローラー１１を食い込ませ易くでき、適切に筋膜を持ち上げて筋膜リリースの作業性を向上させることができる。
【００７３】
尚、実施例では、付勢強さ調整機構５０の係止凹部５５の数を３つとしたが、これに限定されず、２つ、４つ、５つなどにしてもよい。また、本発明のマッサージ具１０は、筋膜リリースのみならず、押しほぐす態様のマッサージに使用してもよい。
【００７４】
即ち、本発明の作用及び効果を奏する限りにおいて、本発明は、実施例に限定されるものではない。
【産業上の利用可能性】
【００７５】
本発明のマッサージ具は、腕や脚などのマッサージ対象部の筋膜リリースに好適である。
【符号の説明】
【００７６】
１０…マッサージ具、１１…ローラー、１２…接触面、２０Ｌ、２０Ｒ…アーム、２１…支持部、２２Ｌ、２２Ｒ…ハンドル、２３…基端側アーム、２４…進退アーム、３０…角度調整機構、３１…角度調整用軸、３２…回転部材、３３…切欠き部、３４…ローラー支持部、３５…回転軸、３６…ボルト、３７…回転部材側凹凸部、４０…角度固定機構、４１…スライド部材、４２…アーム側円板部材、４３…アーム側凹凸部、４４…ナット（蝶ナット）、５０…付勢強さ調整機構、５１…弾性部材（引張ばね、トーションばね）、５２…係止部材、６０…アーム長さ調整機構、６１…ガイド部、６２…ノコギリ溝、６３…スイッチ用貫通孔、６４…係止スイッチ、６５…スイッチ用付勢部材、７０…マッサージ対象部、７２…筋膜。
【要約】
【課題】腕や脚など大きな筋肉のある筋膜リリースの際に加わる大きな力に対してもローラーの角度を固定することができ、作業効率を向上させることができるマッサージ具を提供すること。
【解決手段】マッサージ具１０は、アーム２０Ｌ、２０Ｒの先端部に設けられローラー１１を回転可能に支持すると共にローラー１１の角度を調整する角度調整機構３０と、角度調整機構３０で調整されたローラー１１の角度を固定する角度固定機構４０と、を備えている。一対のアーム２０Ｌ、２０Ｒのそれぞれのローラー１１の接触面１２が対向可能に、且つローラー１１の回転軸３５をアーム２０Ｌ、２０Ｒの長手方向に向けることが可能に、ローラー１１の角度を調整可能である。
【選択図】図１【図１】
0006797452.tif 000002
【図２】
0006797452.tif 000003
【図３】
0006797452.tif 000004
【図４】
0006797452.tif 000005
【図５】
0006797452.tif 000006
【図６】
0006797452.tif 000007